(57)【特許請求の範囲】
【請求項１】
複数の鍵を保管する鍵保管装置であって、
鍵を保持する保持部を複数備え、
前記保持部は、
鍵を持ち出し不可能に掛止する掛止部と、
前記掛止部による掛止を解除するための解除キーと、
前記解除キーが挿入されるキー孔と、
を備え、
前記キー孔に前記解除キーが挿入されている場合に、前記掛止部による鍵の掛止が解除される鍵保管装置。
【請求項２】
複数の前記保持部が列状に並べられた本体部と、
前記本体部の前記保持部が並べられた列の一端側に設けられる発光部と、
前記本体部の前記列の他端側に設けられ、前記発光部から発光された光を受光する受光部と、
を備え、
前記保持部は、前記解除キーが前記キー孔に挿入されている場合に前記発光部から発光された光を遮光する遮光部材を備え、
前記受光部により光が受光されなかった場合に、何れかの前記解除キーが前記キー孔に挿入されていると判定する判定部を備える請求項１に記載の鍵保管装置。
【請求項３】
前記保持部は、
前記キー孔に前記解除キーが挿入されることにより回動する回動部を備え、
前記掛止部は、前記キー孔に前記解除キーが挿入されることによる前記回動部の回動に伴って、鍵の掛止の解除を行う請求項１又は２に記載の鍵保管装置。
【請求項４】
前記本体部は、前記保持部の前記列を複数列備え、
前記保持部の前記列毎に前記発光部及び前記受光部を備え、
前記判定部は、何れかの前記受光部により光が受光されなかった場合に、何れかの前記解除キーが前記キー孔に挿入されていると判定する請求項２又は３に記載の鍵保管装置。
【請求項５】
隣り合う前記列において、一方の前記列に備えられる前記発光部は、当該一方の前記列の一端側に設けられ、他方の前記列に備えられる前記発光部は、当該他方の前記列の他端側に設けられ、一方の前記列に備えられる前記発光部は、他方の前記列に備えられる前記発光部と対向するように備えられる請求項４に記載の鍵保管装置。
【請求項６】
前記判定部による判定結果を表示する表示部を備える請求項２乃至５の何れか一項に記載の鍵保管装置。
【請求項７】
前記本体部の前記解除キーを掛止する前記掛止部が並べられた主面を覆う扉を備え、
前記扉は、前記表示部に相当する位置に窓穴部を有する請求項６に記載の鍵保管装置。
【請求項８】
前記キー孔の形状は、すべて異なっており、前記解除キーの形状は、前記キー孔に嵌入可能な形状に形成されている請求項１乃至７の何れか一項に記載の鍵保管装置。
【発明の詳細な説明】
【技術分野】
【０００１】
本発明は、鍵保管装置に関する。
【背景技術】
【０００２】
学校、病院、官庁、オフィスビル、或いは、多くの車輌を有する企業や団体などでは、多数本の鍵を確実に管理する必要がある。そのため、多数本の鍵を管理するための様々な従来技術が提案されている（例えば、特許文献１〜３）。
例えば、特許文献１の鍵保管装置は、鍵を保管する多数のフックと多数のフックスイッチを備えている。そして、当該フックに鍵が掛けられているか否かを当該フックスイッチにより検出する。
【０００３】
また、特許文献２では、鍵毎に異なるＩＤ番号を記憶する識別タグを鍵に取り付け、そのＩＤ番号を予め鍵保管装置に記憶させる。そして、鍵保管装置から鍵を持ち出す際に、持出者にパスワードを入力させ、当該パスワードとＩＤ番号とが一致している場合にのみ、当該鍵の持ち出しを許可する。
【特許文献１】特開平９−１８９１５２号公報
【特許文献２】特開２００７−３９９４１号公報
【発明の開示】
【発明が解決しようとする課題】
【０００４】
しかしながら、特許文献１では、鍵保管装置から鍵が持ち出されている場合に、誰がその鍵を持ち出しているのかが分からないという問題がある。また、特許文献１では、個々の鍵毎に、当該鍵を収納するケース部分にフックスイッチを設けるため、鍵保管装置の製造コストが高くなってしまうという問題がある。
【０００５】
また、特許文献２では、鍵の持ち出し時にパスワードを入力させるため、鍵を持ち出しているのは、当該パスワードを知っている者に限定できる。しかし、鍵毎に識別タグを取り付け、タグリーダやパスワードの認証を行うマイクロコンピュータを必要とするため、コストが高くなってしまう。また、鍵を持ち出す際に、いちいちパスワードを入力しなければならず、面倒であるという問題がある。
【０００６】
本発明の目的は、このような問題点を解決するためになされたものであり、鍵の持出者を限定することができるとともに、製造コストを抑えた鍵保管装置を提供することを目的とする。
【課題を解決するための手段】
【０００７】
本発明にかかる鍵保管装置は、複数の鍵を保管する鍵保管装置であって、鍵を保持する保持部を複数備え、前記保持部は、鍵を持ち出し不可能に掛止する掛止部と、前記掛止部による掛止を解除するための解除キーと、前記解除キーが挿入されるキー孔と、を備え、前記キー孔に前記解除キーが挿入されている場合に、前記掛止部による鍵の掛止が解除されるものである。
これにより、解除キーを持つ者のみが、解除キーをキー孔に挿入することにより、鍵を持ち出すことができる。よって、鍵の持出者を限定することができる。また、識別タグやタグリーダ、マイクロコンピュータを必要としないため、製造コストを抑えることができる。さらに、タグリーダ、マイクロコンピュータを必要としないため、運用においても節電することができ、運用コストを低減することもできる。また、パスワードを入力する手間を省くことができる。
【０００８】
また、本発明にかかる鍵保管装置は、複数の前記保持部が列状に並べられた本体部と、前記本体部の前記保持部が並べられた列の一端側に設けられる発光部と、前記本体部の前記列の他端側に設けられ、前記発光部から発光された光を受光する受光部と、を備え、前記保持部は、前記解除キーが前記キー孔に挿入されている場合に前記発光部から発光された光を遮光する遮光部材を備え、前記受光部により光が受光されなかった場合に、何れかの前記解除キーが前記キー孔に挿入されていると判定する判定部を備える。
これにより、複数の鍵に対して１対の発光部及び受光部を設けるだけで、未返却の鍵の有無を管理することができ、個々の鍵毎にスイッチを設ける場合、個々の鍵毎に識別タグを取り付け、タグリーダ、マイクロコンピュータを設ける場合に比べて、製造コストを抑えることができる。さらに、タグリーダ、マイクロコンピュータを必要としないため、運用においても節電することができ、運用コストを低減することもできる。
また、本発明にかかる鍵保管装置は、複数の鍵に対して１対の発光部及び受光部を設けるだけでよいので、個々の鍵毎にスイッチを設ける場合に比べて、鍵保管装置自体の重量を低減することができる。そのため、鍵保管装置を設置する場所の強度を従来よりも必要としない。従って、鍵保管装置の設置場所の自由度が向上する。
【０００９】
さらに、本発明にかかる鍵保管装置においては、前記保持部は、前記キー孔に前記解除キーが挿入されることにより回動する回動部を備え、前記掛止部は、前記キー孔に前記解除キーが挿入されることによる前記回動部の回動に伴って、鍵の掛止の解除を行う。
これにより、キー孔への解除キーの挿入による動力を利用して回動部が回動し、当該回動により、掛止部における鍵の掛止が解除される。そのため、鍵の掛止の解除に電気的な動力を必要とせず、運用において節電することができ、運用コストを低減することができる。
【００１０】
さらにまた、本発明にかかる鍵保管装置においては、前記本体部は、前記保持部の前記列を複数列備え、前記保持部の前記列毎に前記発光部及び前記受光部を備え、前記判定部は、何れかの前記受光部により光が受光されなかった場合に、何れかの前記解除キーが前記キー孔に挿入されていると判定する。
これにより、保持部の列が複数設けられても、１つの判定部で解除キーが挿入されているか否かを判定することができる。そのため、鍵保管装置に設けられる保持部の列が増えても、判定部を増やさずに済み、製造コストを低減させることができる。
【００１１】
また、本発明にかかる鍵保管装置では、隣り合う前記列において、一方の前記列に備えられる前記発光部は、当該一方の前記列の一端側に設けられ、他方の前記列に備えられる前記発光部は、当該他方の前記列の他端側に設けられ、一方の前記列に備えられる前記発光部は、他方の前記列に備えられる前記発光部と対向するように備えられる。
これにより、一方の列に備えられる発光部から発光された光が拡散により他方の列に進入しても、他方の列の受光部に受光されることを防ぐことができる。従って、保持部が並べられる列の間隔をより狭くすることができ、省スペース化を図ることができる。また、鍵保管装置の小型化を図ることができる。
【００１２】
また、本発明にかかる鍵保管装置は、前記判定部による判定結果を表示する表示部を備えるので、表示部を視認するだけで、全ての鍵が返却されているか否かを容易に確かめることができる。
【００１３】
また、本発明にかかる鍵保管装置は、前記本体部の前記解除キーを掛止する前記掛止部が並べられた主面を覆う扉を備え、前記扉は、前記表示部に相当する位置に窓穴部を有する。
これにより、扉を閉めた状態のまま、窓穴部から表示部を視認することができ、全ての鍵が返却されているか否かを容易に確かめることができる。
【００１４】
また、本発明にかかる鍵保管装置においては、前記キー孔の形状は、すべて異なっており、前記解除キーの形状は、前記キー孔に嵌入可能な形状に形成されている。
これにより、１つの鍵に対して、当該鍵の掛止を解除するための解除キーを有する者のみが鍵を持ち出すことができる。よって、鍵毎に、鍵の持出者を限定することができる。
【発明の効果】
【００１５】
本発明により、鍵の持出者を限定することができるとともに、製造コストを抑えた鍵保管装置を提供することができる。即ち、管理者が常に鍵の持出者を把握することができる。
【発明を実施するための最良の形態】
【００１６】
以下に、本発明を適用可能な実施の形態を説明する。なお、本発明は、以下の実施の形態に限定されるものではない。
【００１７】
本発明にかかる鍵保管装置１について図を用いて説明する。図１は、本発明にかかる鍵保管装置１の外観を示す斜視図である。図１は、扉２が開けられた状態の鍵保管装置１の外観を示している。
鍵保管装置１は、図１に示すように、扉２、本体部３、本体部３内に複数設けられた保持部４、保持部４に挿入されるパーソナルキー５（解除キー）、スイッチ６、第１ランプ７（表示部）、第２ランプ８（表示部）を有している。
【００１８】
扉２及び本体部３は、板金等により形成されている。また、扉２と本体部３とはヒンジ９により連結されている。そして、扉２は、本体部３に対して、開閉可能に連結されている。
【００１９】
扉２は、図１に示すように、窓穴部１０を有している。窓穴部１０は、本体部３の第１ランプ７、第２ランプ８に相当する位置に設けられている。そして、扉２が閉められた状態で、窓穴部１０により、第１ランプ７、第２ランプ８が露出されるようになっている。これにより、扉２を閉めた状態のまま、第１ランプ７及び第２ランプ８の点灯を確認することができる。
また、扉２の枠部の本体部３側の面上には、突起２Ａが設けられている。
【００２０】
本体部３は、箱型に形成されている。そして、本体部３の主面１１（扉２側の面）に、複数の保持部４が備えられている。例えば、図１に示すように、本体部３には、１列１０個の保持部４が２列設けられている。
【００２１】
また、本体部３の主面１１には、スイッチ６、第１ランプ７、第２ランプ８が備えられている。
スイッチ６は、扉２の突起２Ａと対応する位置に設けられている。そして、扉２が閉められると、突起２Ａがスイッチ６を押下するようになっている。
そして、スイッチ６が押下されることにより、第１ランプ７、第２ランプ８の何れかが点灯するようになっている。例えば、鍵保管装置１は図示しない電源を有し、スイッチ６が押下されることにより電源がＯＮとなる。そして、電源により駆動されて第１ランプ７又は第２ランプ８が点灯する。
具体的には、全ての保持部４にパーソナルキー５が挿入されていない場合には、スイッチ６が押下されることにより、第１ランプ７が点灯する。また、何れかの保持部４にパーソナルキー５が挿入されている場合には、スイッチ６が押下されることにより、第２ランプ８が点灯する。
また、第１ランプ７及び第２ランプ８は、スイッチ６が押下されてから所定時間、点灯する。すなわち、スイッチ６がＯＮとなってから所定時間経過後、第１ランプ７及び第２ランプ８は、消灯する。
【００２２】
なお、第１ランプ７と第２ランプ８の点灯する色を異なる色とすると、判別しやすくなる。例えば、第１ランプ７の点灯色を緑色とし、第２ランプ８の点灯色を赤色とすることができる。
また、第１ランプ７、第２ランプ８は、例えば、ＬＥＤ（Light  Emitting  Diode）により構成されてもよい。
また、図示しない電源としては、マンガン電池、アルカリ電池等の乾電池を使用することができる。
【００２３】
また、本体部３の主面１１の背面側には、保持部４のケース部４Ｃ（後述）を支持するための支持棒３１、３２、３３が設けられている（図３（ｃ）参照）。支持棒３１、３２、３３は、保持部４の列毎に設けられている。また、支持棒３１は、挿入孔部４Ｉ（後述）の上側に設けられている。また、支持棒３２は、挿入孔部４Ｉの下側に設けられている。また、支持棒３３は、支持棒３２よりも下側に設けられている。
【００２４】
さらに、本体部３の主面１１の背面側には、発光部１２及び受光部１３が設けられている（図３（ｃ）参照）。具体的には、列状に並べられた保持部４の列の一端に発光部１２が取り付けられている。また、列状に並べられた保持部４の列の他端に受光部１３が取り付けられている。
また、発光部１２は、発光部１２から発光された光が保持部４の列と平行に進むように取り付けられている。そして、受光部１３は、発光部１２から発光された光を受光可能な位置に取り付けられている。
【００２５】
また、上下隣り合う保持部４の列において、上側の列の発光部１２と下側の列の発光部１２は、互いに向き合う位置となるように設けられる。従って、上側の列の受光部１３と下側の列の受光部１３は、互いに向き合う位置となるように設けられる。換言すれば、上下隣り合う保持部４の列において、上側の列の右側に発光部１２が設けられた場合には、下側の列の左側に発光部１２が設けられる。一方、上側の列の左側に受光部１３が設けられた場合には、下側の列の右側に受光部１３が設けられる。これにより、万が一、発光部１２から発光された光が拡散して隣の列に進入しても、隣の列の受光部１３により受光されて誤検出の原因となることはない。
なお、発光部１２及び受光部１３が設けられる位置は本実施形態に限定されるものではない。例えば、上下隣り合う保持部４の列において、上側の列の発光部１２と下側の列の発光部１２とは、当該上下の列において同じ側の端に設けられてもよい。
【００２６】
また、発光部１２は、例えば、赤外線ＬＥＤ等により構成される。また、発光部１２は、本体部３のスイッチ６が押下されることにより発光を開始する。例えば、発光部１２は、スイッチ６が押下されることによりＯＮされた電源（図示省略）に駆動されて、発光する。そして、発光部１２は、判定パルス（後述）がＬｏｗからＨｉｇｈに立ち上がることにより、発光を停止する。
また、受光部１３は、後述する判定回路１４（判定部）に受光結果を出力する。具体的には、受光部１３は、発光部１２から発光された光を受光した場合に、Ｈｉｇｈの信号を判定回路１４に出力する。一方、受光部１３は、発光部１２から発光された光を受光しなかった場合に、Ｌｏｗの信号を判定回路１４に出力する。
【００２７】
次に、パーソナルキー５の構造について、図２を用いて説明する。図２（ａ）は、パーソナルキー５の背面を示す平面図、図２（ｂ）は、パーソナルキー５の側面を示す平面図である。ここで、パーソナルキー５の背面とは、保持部４への挿入方向奥側から見た平面である。
パーソナルキー５は、図２に示すように、ＡＢＳ樹脂等の素材により平板状に形成されている。また、パーソナルキー５の背面は、図２（ａ）に示すように、略長方形形状となっており、上側の隣り合う角部が切り欠かれた形状となっている。また、パーソナルキー５の側面形状は、図２（ｂ）に示すように、下底が短い略台形形状となっている。また、パーソナルキー５の側面の挿入方向奥側の角部は略直角となっている。
【００２８】
図２に示すように、パーソナルキー５の側面には溝部５Ａが設けられている。溝部５Ａは、パーソナルキー５の背面側の端部から挿入方向に沿って直線状に形成されている。溝部５Ａの長さは、パーソナルキー５が保持部４内に挿入される部分の長さと略同じ長さとなっている。また、溝部５Ａは、例えば、１つの側面に５列ずつ、合計１０列設けられている。また、１０列の溝部５Ａうちの何れか５列にピン５Ｂが嵌合されている。そして、溝部５Ａに嵌合するピン５Ｂの配置をパーソナルキー５毎に変えることにより、各パーソナルキー５を識別可能にしている。この場合、１０個の溝部５Ａに５個のピン５Ｂを配置するので、溝部５Ａに嵌合するピン５Ｂの配置は、１０Ｃ５＝２５２通りとなる。従って、２５２個まで、異なるパーソナルキー５を作成することが可能である。
【００２９】
また、パーソナルキー５の背面側から見た溝部５Ａの形状は、略台形形状となっている。また、パーソナルキー５の背面側から見た溝部５Ａの幅は、パーソナルキー５の内側に向かうにつれて大きくなっている。これにより、溝部５Ａに嵌合されたピン５Ｂが外れにくいようになっている。
【００３０】
また、パーソナルキー５の挿入方向手前側の端部には、貫通穴部５Ｃが設けられている。貫通穴部５Ｃは、パーソナルキー５の一方の側面から他方の側面へと貫通するように設けられている。また、例えば、貫通穴部５Ｃに連結輪（図示省略）が通される。そして、当該連結輪に札をつけることができる。当該札にパーソナルキー５の番号を表示するようにしてもよい。
【００３１】
また、パーソナルキー５の溝部５Ａと貫通穴部５Ｃとの間の領域には、ラベルを貼り付け可能な凹部５Ｄが設けられている。凹部５Ｄは、略矩形状の凹みにより形成されている。そして、凹部５Ｄにより、貼り付けられたラベルが剥がれにくいようになっている。当該ラベルにパーソナルキー５の所有者（即ち、鍵の持出者）の名前を表示するようにしてもよい。
【００３２】
また、パーソナルキー５は、底面部の略中央部分が部分的に切り欠かれた凹欠部５Ｅを有している。パーソナルキー５が挿入孔部４Ｉ内に挿入された際に、当該凹欠部５Ｅに、開閉レバー４Ｍ（後述）の突起部４Ｐが進入するようになっている。
【００３３】
次に、保持部４について図３を参照しながら説明する。図３（ａ）に、保持部４の正面図を示す。また、図３（ａ）のＢ−Ｂ'矢視断面図を図３（ｂ）に示す。また、パーソナルキー５が挿入された状態の保持部４の背面図を図３（ｃ）に示す。
保持部４は、図３に示すように、カバー４Ａ、中板４Ｂ、ケース部４Ｃ等により構成される。カバー４Ａ及びケース部４Ｃは、ＡＢＳ樹脂等の素材により形成される。また、中板４Ｂは、板金等により形成され、本体部３の主面１１を構成する。そして、カバー４Ａは、中板４Ｂの表面（保持部４の挿入方向手前側の面）に取り付けられる。また、ケース部４Ｃは、中板４Ｂの裏面（保持部４の挿入方向奥側の面）に取り付けられる。
【００３４】
中板４Ｂには、パーソナルキー５を挿入するための貫通孔部４Ｄ（キー孔）が形成されている。図４（ｃ）に示すように、貫通孔部４Ｄの形状は、パーソナルキー５の背面の形状と略同一形状となっている。そして、貫通孔部４Ｄの縁部には、パーソナルキー５のピン５Ｂが嵌合されていない溝部５Ａに相当する位置に突起４Ｅが形成されている。また、例えば、突起４Ｅは、５つ設けられている。また、各保持部４を構成する貫通孔部４Ｄにおける突起４Ｅの配置は、それぞれ異なっている。そして、一の貫通穴部４Ｄに挿入されるパーソナルキー５が、他の貫通穴部４Ｄに挿入されないようになっている。
なお、パーソナルキー５及び貫通穴部４Ｄは、パーソナルキー５が貫通穴部４Ｄに嵌入可能な形状に形成されればよく、パーソナルキー５及び貫通穴部４Ｄの形状は本実施形態に限定されるものではない。
また、中板４Ｂの貫通穴部４Ｄの下方には、レバー開口部４Ｆが形成されている。そして、レバー開口部４Ｆを後述するフックレバー４Ｏが貫通するようになっている。また、レバー開口部４Ｆは、フックレバー４Ｏの回動範囲を妨げない大きさとなるように形成されている。
【００３５】
カバー４Ａは、平板形状に形成されている。また、カバー４Ａは、中板４Ｂの貫通孔部４Ｄに相当する位置に開口部４Ｇを有している。開口部４Ｇは、パーソナルキー５の背面の形状と略同一形状となっている。そして、パーソナルキー５が開口部４Ｇ及び貫通孔部４Ｄを通してケース部４Ｃへと挿入されるようになっている。
【００３６】
また、カバー４Ａには、ラベルを貼付するための凹部４Ｈが設けられている。凹部４Ｈは、略矩形形状の凹みにより形成されている。凹部４Ｈは、例えば、開口部４Ｇより上側の領域に形成されている。そして、凹部４Ｈにより、貼り付けられたラベルが剥がれにくいようになっている。当該ラベルに、パーソナルキー５の番号を表示するようにしてもよい。
【００３７】
ケース部４Ｃは、パーソナルキー５と略同一形状に形成された挿入孔部４Ｉを有している。
また、ケース部４Ｃには、後述するロックレバー４Ｌが回動するための切欠部４Ｊを有している。切欠部４Ｊは、例えば、挿入孔部４Ｉを形成する上面に形成されている。また、切欠部４Ｊは、挿入孔部４Ｉの幅方向略中央付近に設けられている。また、切欠部４Ｊの幅は、ロックレバー４Ｌの幅よりも大きい。
さらに、ケース部４Ｃには、後述する開閉レバー４Ｍ及び保持レバー４Ｎが回動するための切欠部４Ｋを有している。切欠部４Ｋは、例えば、挿入孔部４Ｉを形成する底面に形成されている。また、切欠部４Ｋは、挿入孔部４Ｉの幅方向略中央付近に設けられている。また、切欠部４Ｋの幅は、開閉レバー４Ｍ及び保持レバー４Ｎの幅よりも大きい。
【００３８】
また、ケース部４Ｃは、ロックレバー４Ｌ、開閉レバー４Ｍ（回動部）、保持レバー４Ｎ、フックレバー４Ｏ（掛止部、遮光部材）を有している。
【００３９】
ロックレバー４Ｌは、平板状に形成されている。そして、ロックレバー４Ｌの一端側（固定端側）が、支持棒３１に回動可能に取り付けられている。
また、支持棒３１には、つるまきバネＢ１が巻かれている。また、ロックレバー４Ｌは、つるまきバネＢ１により、挿入孔部４Ｉの上部と連結されている。そして、つるまきバネＢ１により、ロックレバー４Ｌは、他端側（回動端側）が切欠部４Ｊを通って挿入孔部４Ｉ内に進入するように付勢されている。
【００４０】
開閉レバー４Ｍは、略く字形状に形成された板状部材である。そして、開閉レバー４Ｍの一端側（固定端側）が、ケース部４Ｃに回動可能にネジ止めされている。
また、開閉レバー４Ｍの他端側（回動端側）は、切欠部４Ｋを通って、挿入孔部４Ｉ内に進入している。
また、開閉レバー４Ｍは、略中央部分が回動端方向に屈曲して延出した突起部４Ｐを有している。
【００４１】
保持レバー４Ｎは、略三角形状に形成された２枚の板状部材と、当該２枚の板状部材の一の頂点部分を連結する連結板部材とから形成されている。そして、２枚の板状部材の一の頂点部分に対する底辺部分が支持棒３２に回動可能に取り付けられている。また、保持レバー４Ｎは、当該２枚の板状部材が挿入孔部４Ｉ、開閉レバー４Ｍ、フックレバー４Ｏを挟むように、支持棒３２に取り付けられている。そして、２枚の板状部材の連結板部材が、保持レバー４Ｎの回動端となっている。
また、支持棒３２には、つるまきバネＢ２が巻かれている。また、フックレバー４Ｏは、つるまきバネＢ２により、挿入孔部４Ｉの底面部と連結されている。そして、つるまきバネＢ２により、保持レバー４Ｎは、中板４Ｂ方向に付勢されている。
【００４２】
フックレバー４Ｏは、略矩形形状の板部材の一の角部が鉤爪状に延出した形状に形成されている。また、フックレバー４Ｏは、鉤爪状に延出する角部において、支持棒３３に回動可能に取り付けられている。
また、フックレバー４Ｏの鉤爪状に延出した部分は、中板４Ｂのレバー開口部４Ｆを通って主面１１の表側へ突出している。そして、フックレバー４Ｏの鉤爪状に延出した部分にキーホルダー４Ｒが掛止される。これにより、キーホルダー４Ｒに連結輪を介して連結された鍵がフックレバー４Ｏに掛止されるようになっている。キーホルダー４Ｒには、鍵の名称（例えば、図３（ａ）に示す「社用車１号」、「書庫右側」、「薬品倉庫」等）が表示されてもよい。
また、フックレバー４Ｏは、鉤爪状に延出した角部の隣の角部が略Ｕ字形状に切り欠かれたＵ字切欠部を有している。そして、当該Ｕ字切欠部は、開閉レバー４Ｍをケース部４Ｃにネジ止めするネジを挟み込んでいる。これにより、開閉レバー４Ｍの回動に伴って、フックレバー４Ｏが回動するようになっている。
また、鉤爪状に延出する角部と対向する角部と、保持レバー４Ｎの回動端（連結板部材）とが当接するようになっている。そして、つるまきバネＢ２による保持レバー４Ｎの付勢により、フックレバー４Ｏも鉤爪状部分が上方に移動する方向に付勢されている。
また、フックレバー４Ｏは、発光部１２から発光された光を透過する透過孔４Ｑを有している。
【００４３】
次に、パーソナルキー５の挿入に伴う保持部４の各部の動作について図４を参照しながら説明する。図４（ａ）乃至（ｅ）に、パーソナルキー５の挿入に伴う保持部４の動作を示す側面断面図を示す。図４（ａ）に示すように、挿入孔部４Ｉ内にパーソナルキー５が挿入されていない場合は、ロックレバー４Ｌの回動端が、切欠部４Ｊを通って、挿入孔部４Ｉ内に進入し、開閉レバー４Ｍの回動端に当接し、開閉レバー４Ｍに対して下向きの力を付与する。これにより、フックレバー４Ｏに対して鉤爪状部分が上方に移動する方向に力が付与される。そして、フックレバー４Ｏの鉤爪状部分の先端が中板４Ｂの表面に当接する。これにより、フックレバー４Ｏの鉤爪状部分に掛止された鍵が持ち出し不可能に掛止される。
このとき、フックレバー４Ｏの透過孔４Ｑは、発光部１２から発光された光の光路上にある。したがって、発光部１２から発光された光は、フックレバー４Ｏにより遮光されない。
【００４４】
次に、図４（ｂ）及び（ｃ）に示すように、挿入孔部４Ｉ内にパーソナルキー５が挿入されるに伴って、パーソナルキー５がロックレバー４Ｌの回動端を上側に押し上げる。これにより、ロックレバー４Ｌによる開閉レバー４Ｍに対する下向きの力の付与がなくなる。さらに、パーソナルキー５の背面が、開閉レバー４Ｍの回動端に当接し、開閉レバー４Ｍの回動端を挿入孔部４Ｉの挿入方向奥側に押す。これにより、開閉レバー４Ｍが回動する。そして、開閉レバー４Ｍの回動に伴って、フックレバー４Ｏが、鉤爪状部分が下方に移動する方向に回動する。これにより、フックレバー４Ｏの鉤爪状部分の先端が中板４Ｂの表面から離れ、フックレバー４Ｏの鉤爪状部分に掛止された鍵が持ち出し可能となる。
【００４５】
次に、図４（ｄ）に示すように、挿入孔部４Ｉ内にパーソナルキー５が完全に挿入されると、ロックレバー４Ｌの回動端がパーソナルキー５の上面に当接し、開閉レバー４Ｍの回動端がパーソナルキー５の背面に当接する。
また、フックレバー４Ｏの鉤爪状部分を有する角部と対向する角部が保持レバー４Ｎの連結板部材に引っ掛けられるように保持される。
そして、ロックレバー４Ｌの回動端がパーソナルキー５の上面に当接して、下向きの力を付与することにより、パーソナルキー５が自重により挿入孔部４Ｉから抜けるのを防止している。また、開閉レバー４Ｍの回動端がパーソナルキー５の背面に押されて、挿入孔部４Ｉの挿入方向奥側の位置で固定されることにより、開閉レバー４Ｍの突起部４Ｐがパーソナルキー５の凹欠部５Ｅに進入する。これにより、パーソナルキー５を引き抜こうとすると、開閉レバー４Ｍの突起部４Ｐがパーソナルキー５の凹欠部５Ｅに引っかかる。そして、開閉レバー４Ｍが、回動端が挿入方向前側に移動するように回動しようとする。しかし、フックレバー４Ｏの鉤爪状部分を有する角部と対向する角部が保持レバー４Ｎの連結板部材に引っ掛けられるように保持されているため、フックレバー４Ｏが回動できない。これにより、開閉レバー４Ｍが回動できず、パーソナルキー５を引き抜けない構造になっているので、持出者が不明になる事態を未然に防止できる。
また、このとき、フックレバー４Ｏの透過孔４Ｑは、発光部１２から発光された光の光路上にない。したがって、発光部１２から発光された光は、フックレバー４Ｏにより遮光される。
【００４６】
次に、図４（ｅ）に示すように、鍵をフックレバー４Ｏに引っ掛けて返却する場合は、フックレバー４Ｏの鉤爪状部分を手動で上方に移動させる。これにより、保持レバー４Ｎによるフックレバー４Ｏの保持が解除される。また、フックレバー４Ｏの回動に伴って、開閉レバー４Ｍが回動し、開閉レバー４Ｍの回動端がパーソナルキー５を挿入方向と反対方向に押す。これにより、パーソナルキー５が自動で挿入孔部４Ｉより出る。そして、ロックレバー４Ｌが切欠部４Ｊを通って挿入孔部４Ｉ内に進入し、開閉レバー４Ｍの回動端に当接し、図４（ａ）に示す状態に戻る。
【００４７】
そして、列状に並べて取り付けられた保持部４の全てにパーソナルキー５が挿入されていない場合には、発光部１２から発光された光は、フックレバー４Ｏにより遮光されない。従って、この場合、発光部１２から発光された光は受光部１３により受光される。反対に、列状に並べて取り付けられた保持部４の何れかにパーソナルキー５が挿入されている場合には、発光部１２から発光された光は、フックレバー４Ｏにより遮光される。従って、この場合、発光部１２から発光された光は受光部１３により受光されない。そして、受光部１３によって発光部１２から発光された光が受光されたか否かに基づいて、全ての保持部４にパーソナルキー５が挿入されていないか、即ち、鍵が全て返却されているかを検出する。
【００４８】
また、本発明にかかる鍵保管装置１は、受光部１３による受光結果に基づいて、全ての保持部４にパーソナルキー５が挿入されていないかを判定する判定回路１４を備える。図５に、本発明にかかる判定回路１４の一例を示す。
判定回路１４は、受光部１３からの出力が入力される第１のＮＡＮＤ回路１５、第１のＮＡＮＤ回路１５に接続される第２のＮＡＮＤ回路１６、第２のＮＡＮＤ回路１６に接続される第１のフリップフロップ１７、第１のＮＡＮＤ回路１５に接続される第２のフリップフロップ１８、第１のフリップフロップ１７に接続される第１のトランジスタ１９、第２のフリップフロップ１８に接続される第２のトランジスタ２０、抵抗Ｒ１、Ｒ２、・・・、Ｒ８を有している。また、第１のトランジスタ１９は、第１ランプ７（例えば、緑色に点灯）に接続されている。第２のトランジスタ２０は、第２ランプ８（例えば、赤色に点灯）に接続されている。
【００４９】
第１のＮＡＮＤ回路１５には、受光部１３からの出力信号が入力される。受光部１３は、発光部１２から発光された光を受光した場合にＨｉｇｈの信号を出力する。そして、全ての保持部４にパーソナルキー５が挿入されて、全ての受光部１３からＨｉｇｈの信号が入力された場合、第１のＮＡＮＤ回路１５は、Ｌｏｗの信号を出力する。一方、何れかの保持部４にパーソナルキー５が挿入されず、何れかの受光部１３からＬｏｗの信号が入力された場合、第１のＮＡＮＤ回路１５は、Ｈｉｇｈの信号を出力する。
【００５０】
また、受光部１３と第１のＮＡＮＤ回路１５との間には終端抵抗Ｒ１、Ｒ２が接続されている。例えば、２つの受光部１３（図５における、ＳＥＮＳＥ１、ＳＥＮＳＥ２）の出力信号が第１のＮＡＮＤ回路１５に入力される場合、それぞれの受光部１３と第１のＮＡＮＤ回路１５とを接続するノードＮＤ１、ＮＤ２とする。この場合、ノードＮＤ１、ＮＤ２のそれぞれに抵抗Ｒ１、Ｒ２が接続される。そして、抵抗Ｒ１、Ｒ２を接続することにより、受光部１３からの出力信号の電圧を第１のＮＡＮＤ回路１５において利用可能な電圧に調整する。
【００５１】
第２のＮＡＮＤ回路１６の全ての入力端子には、第１のＮＡＮＤ回路１５からの出力信号が入力される。そして、第１のＮＡＮＤ回路１５からＨｉｇｈの信号が入力された場合、第２のＮＡＮＤ回路１６は、Ｌｏｗの信号を出力する。一方、第１のＮＡＮＤ回路１５からＬｏｗの信号が入力された場合、第２のＮＡＮＤ回路１６は、Ｈｉｇｈの信号を出力する。
【００５２】
第１のフリップフロップ１７は、Ｄ型フリップフロップである。第１のフリップフロップ１７の端子Ｄには、第２のＮＡＮＤ回路１６の出力信号が入力される。
また、第１のフリップフロップ１７の端子ＰＲには、電源電圧ＶＣＣが接続されている。そして、第１のフリップフロップ１７は、電源電圧ＶＣＣがＯＮとなった場合に、クリア状態となる。
また、第１のフリップフロップ１７の端子ＣＬには、判定メモリクリア信号が入力される。そして、端子ＣＬに判定メモリクリア信号が入力された際に、第１のフリップフロップ１７のクリア状態が解除される。具体的には、判定メモリクリア信号は、電源電圧ＶＣＣがＯＮとなってから時間ｔ１後に立ち上がりＨｉｇｈとなる。そして、端子ＣＬにＨｉｇｈの信号が入力された場合に、第１のフリップフロップ１７のクリア状態が解除される。
また、第１のフリップフロップ１７の端子ＣＬＫには、判定パルスが入力される。そして、第１のフリップフロップ１７は、端子ＣＬＫに判定パルスが入力された際に、端子Ｄに入力された信号を出力端子Ｑから出力する。具体的には、判定パルスは、電源電圧ＶＣＣがＯＮとなってから時間ｔ１後に立ち下がってＬｏｗとなる。その後、判定パルスは、時間ｔ２（ｔ１＞ｔ２）の間Ｌｏｗとなった後、立ち上がってＨｉｇｈとなる。従って、第１のフリップフロップ１７の端子ＣＬＫには、電源電圧ＶＣＣがＯＮとなってから時間ｔ３（ｔ３＝ｔ１＋ｔ２）後に、Ｈｉｇｈの立ち上がり信号が入力される。そして、第１のフリップフロップ１７は、端子ＣＬＫに、Ｈｉｇｈの立ち上がり信号が入力された場合に、端子Ｄに入力された信号を出力する。即ち、端子ＤにＨｉｇｈの信号が入力されている場合には、出力端子Ｑは、Ｈｉｇｈの信号を出力する。また、端子ＤにＬｏｗの信号が入力されている場合には、出力端子Ｑは、Ｌｏｗの信号を出力する。ここで、例えば、ｔ１＝６５０μｓｅｃ、ｔ２＝５０μｓｅｃ、ｔ３＝７００μｓｅｃである。
【００５３】
第２のフリップフロップ１８は、Ｄ型フリップフロップである。第２のフリップフロップ１８の端子Ｄには、第１のＮＡＮＤ回路１５の出力信号が入力される。
また、第２のフリップフロップ１８の端子ＰＲには、電源電圧ＶＣＣが接続されている。そして、第２のフリップフロップ１８は、電源電圧ＶＣＣがＯＮとなった場合に、クリア状態となる。
また、第２のフリップフロップ１８の端子ＣＬには、判定メモリクリア信号が入力される。そして、端子ＣＬに判定メモリクリア信号が入力された際に、第２のフリップフロップ１８のクリア状態が解除される。具体的には、判定メモリクリア信号は、電源電圧ＶＣＣがＯＮとなってから時間ｔ１後に立ち上がりＨｉｇｈとなる。そして、端子ＣＬにＨｉｇｈの信号が入力された場合に、第２のフリップフロップ１８のクリア状態が解除される。
また、第２のフリップフロップ１８の端子ＣＬＫには、判定パルスが入力される。そして、第２のフリップフロップ１８は、端子ＣＬＫに判定パルスが入力された際に、端子Ｄに入力された信号を出力端子Ｑから出力する。具体的には、判定パルスは、電源電圧ＶＣＣがＯＮとなってから時間ｔ１後に立ち下がってＬｏｗとなる。その後、判定パルスは、時間ｔ２の間Ｌｏｗとなった後、立ち上がってＨｉｇｈとなる。従って、第２のフリップフロップ１８の端子ＣＬＫには、電源電圧ＶＣＣがＯＮとなってから時間ｔ３後に、Ｈｉｇｈの立ち上がり信号が入力される。そして、第２のフリップフロップ１８は、端子ＣＬＫに、Ｈｉｇｈの立ち上がり信号が入力された場合に、端子Ｄに入力された信号を出力する。即ち、端子ＤにＨｉｇｈの信号が入力されている場合には、出力端子Ｑは、Ｈｉｇｈの信号を出力する。また、端子ＤにＬｏｗの信号が入力されている場合には、出力端子Ｑは、Ｌｏｗの信号を出力する。
【００５４】
第１のトランジスタ１９は、バイポーラトランジスタである。第１のトランジスタ１９のベース端子は、抵抗Ｒ３を介して、第１のフリップフロップ１７の出力端子Ｑと接続されている。また、第１のトランジスタ１９のエミッタ端子は、接地電位に接続されている。また、第１のトランジスタ１９のエミッタ端子は、抵抗Ｒ３と抵抗Ｒ４を介して接続されている。また、第１のトランジスタ１９のコレクタ端子は、抵抗Ｒ５を介して第１ランプ７に接続されている。
そして、第１のフリップフロップ１７の出力端子ＱからＨｉｇｈの信号がベース端子に入力されると、第１のトランジスタ１９はＯＮとなる。そして、第１のランプが点灯する。一方、第１のフリップフロップ１７の出力端子ＱからＬｏｗの信号がベース端子に入力されると、第１のトランジスタ１９はＯＦＦとなる。この場合、第１ランプ７は点灯しない。
【００５５】
第２のトランジスタ２０は、バイポーラトランジスタである。第２のトランジスタ２０のベース端子は、抵抗Ｒ６を介して、第２のフリップフロップ１８の出力端子Ｑと接続されている。また、第２のトランジスタ２０のエミッタ端子は、接地電位に接続されている。また、第２のトランジスタ２０のエミッタ端子は、抵抗Ｒ６と抵抗Ｒ７を介して接続されている。また、第２のトランジスタ２０のコレクタ端子は、抵抗Ｒ８を介して第２ランプ８に接続されている。
そして、第２のフリップフロップ１８の出力端子ＱからＨｉｇｈの信号がベース端子に入力されると、第２のトランジスタ２０はＯＮとなる。そして、第２ランプ８が点灯する。一方、第２のフリップフロップ１８の出力端子ＱからＬｏｗの信号がベース端子に入力されると、第２のトランジスタ２０はＯＦＦとなる。この場合、第２ランプ８は点灯しない。
【００５６】
次に、本発明にかかる鍵保管装置１の動作について図６に示すタイミングチャートを参照しながら説明する。
まず、本体部３のスイッチ６が押下されると、電源電圧ＶＣＣがＨｉｇｈとなる。また、電源電圧ＶＣＣがＨｉｇｈとなることにより、発光部１２が発光する。なお、電源電圧ＶＣＣは、スイッチ６が押下されてから所定時間経過後Ｌｏｗとなるようになっている。
【００５７】
次に、判定メモリクリア信号が、スイッチ６が押下されてから時間ｔ１後に立ち上がりＨｉｇｈとなる。このとき、第１のフリップフロップ１７及び第２のフリップフロップ１８の端子ＣＬにＨｉｇｈの信号が入力される。そして、第１のフリップフロップ１７及び第２のフリップフロップ１８のクリア状態が解除される。
また、判定パルスは、電源電圧ＶＣＣがＯＮとなってから時間ｔ１後に立ち下がってＬｏｗとなる。その後、判定パルスは、時間ｔ２の間Ｌｏｗとなった後、立ち上がってＨｉｇｈとなる。このとき、発光部１２は、判定パルスが立ち上がったことにより、発光を停止する。また、第１のフリップフロップ１７及び第２のフリップフロップ１８の端子ＣＬＫにＨｉｇｈの立ち上がり信号が入力される。そして、第１のフリップフロップ１７及び第２のフリップフロップ１８は、端子Ｄに入力された信号を出力端子Ｑから出力する。これにより、第１のトランジスタ１９又は第２のトランジスタ２０がＯＮとなる。そして、第１ランプ７又は第２ランプ８の何れかが点灯する。
【００５８】
次に、電源電圧ＶＣＣがＬｏｗとなると、判定メモリクリア信号及び判定パルスもＬｏｗとなる。そして、第１ランプ７及び第２ランプ８も消灯する。
【００５９】
以上、説明したように、本実施形態にかかる鍵保管装置１では、複数の鍵を保管する鍵保管装置１であって、鍵を保持する保持部４を複数備え、保持部４は、鍵を持ち出し不可能に掛止するフックレバー４Ｏと、フックレバー４Ｏによる掛止を解除するためのパーソナルキー５と、パーソナルキー５が挿入される貫通孔部４Ｄと、を備え、貫通孔部４Ｄにパーソナルキー５が挿入されている場合に、フックレバー４Ｏによる鍵の掛止が解除されるものである。
これにより、パーソナルキー５を持つ者のみが、パーソナルキー５を貫通孔部４Ｄに挿入することにより、鍵を持ち出すことができる。よって、鍵の持出者を限定することができる。また、識別タグやタグリーダ、マイクロコンピュータを必要としないため、製造コストを抑えることができる。さらに、タグリーダ、マイクロコンピュータを必要としないため、運用においても節電することができ、運用コストを低減することもできる。また、パスワードを入力する手間を省くことができる。
【００６０】
また、本発明にかかる鍵保管装置１は、複数の保持部４が列状に並べられた本体部３と、本体部３の保持部４が並べられた列の一端側に設けられる発光部１２と、本体部３の列の他端側に設けられ、発光部１２から発光された光を受光する受光部１３と、を備え、保持部４は、パーソナルキー５が貫通孔部４Ｄに挿入されている場合に発光部１２から発光された光を遮光するフックレバー４Ｏを備え、受光部１２により光が受光されなかった場合に、何れかのパーソナルキー５が貫通穴部４Ｄに挿入されていると判定する判定回路１４を備える。
これにより、複数の鍵に対して１対の発光部１２及び受光部１３を設けるだけで、未返却の鍵の有無を管理することができ、個々の鍵毎にスイッチを設ける場合や、個々の鍵毎に識別タグを取り付け、タグリーダ、マイクロコンピュータを設ける場合に比べて、製造コストを抑えることができる。さらに、タグリーダ、マイクロコンピュータを必要としないため、運用においても節電することができ、運用コストを低減することもできる。
また、本発明にかかる鍵保管装置１は、複数の鍵に対して１対の発光部１２及び受光部１３を設けるだけでよいので、個々の鍵毎にスイッチを設ける場合に比べて、鍵保管装置１自体の重量を低減することができる。そのため、鍵保管装置１を設置する場所の強度を従来よりも必要としない。従って、鍵保管装置１の設置場所の自由度が向上する。
【００６１】
さらに、本発明にかかる鍵保管装置１においては、保持部４は、貫通孔部４Ｄにパーソナルキー５が挿入されることにより回動する開閉レバー４Ｍを備え、フックレバー４Ｏは、貫通孔部４Ｄにパーソナルキー５が挿入されることによる開閉レバー４Ｍの回動に伴って、鍵の掛止の解除を行う。
これにより、貫通孔部４Ｄへのパーソナルキー５の挿入による動力を利用して開閉レバー４Ｍが回動し、当該回動により、フックレバー４Ｏにおける鍵の掛止が解除される。そのため、鍵の掛止の解除に電気的な動力を必要とせず、運用において節電することができ、運用コストを低減することができる。
【００６２】
さらにまた、本発明にかかる鍵保管装置１においては、本体部３は、保持部４の列を複数列備え、保持部４の列毎に発光部１２及び受光部１３を備え、判定回路１４は、何れかの受光部１３により光が受光されなかった場合に、何れかのパーソナルキー５が貫通孔部４Ｄに挿入されていると判定する。
これにより、保持部４の列が複数設けられても、１つの判定回路１４でパーソナルキー５が挿入されているか否かを判定することができる。そのため、鍵保管装置１に設けられる保持部４の列が増えても、判定回路１４を増やさずに済み、製造コストを低減させることができる。
【００６３】
また、本発明にかかる鍵保管装置１では、隣り合う列において、一方の列に備えられる発光部１２は、当該列の一端側に設けられ、他方の列に備えられる発光部１２は、当該列の他端側に設けられ、一方の列に備えられる発光部１２は、他方の列に備えられる発光部１２と対向するように備えられる。
これにより、一方の列に備えられる発光部１２から発光された光が拡散により他方の列に進入しても、他方の列の受光部１３に受光されることを防ぐことができる。従って、保持部４が並べられる列の間隔をより狭くすることができ、省スペース化を図ることができる。また、鍵保管装置１の小型化を図ることができる。
【００６４】
また、本発明にかかる鍵保管装置１は、判定回路１４による判定結果を表示する第１ランプ７及び第２ランプ８を備えるので、第１ランプ７及び第２ランプ８を視認するだけで、全ての鍵が返却されているか否かを容易に確かめることができる。
【００６５】
また、本発明にかかる鍵保管装置１は、本体部３のパーソナルキー５を掛止するフックレバー４Ｏが並べられた主面１１を覆う扉２を備え、扉２は、第１ランプ７及び第２ランプ８に相当する位置に窓穴部１０を有する。
これにより、扉２を閉めた状態のまま、窓穴部１０から第１ランプ７及び第２ランプ８を視認することができ、全ての鍵が返却されているか否かを容易に確かめることができる。
【００６６】
また、本発明にかかる鍵保管装置１においては、貫通孔部４Ｄの形状は、すべて異なっており、パーソナルキー５の形状は、貫通孔部４Ｄに嵌入可能な形状に形成されている。
これにより、１つの鍵に対して、当該鍵の掛止を解除するためのパーソナルキー５を有する者のみが鍵を持ち出すことができる。よって、鍵毎に、鍵の持出者を限定することができる。
【００６７】
また、本実施形態にかかる鍵保管装置１において、電源が供給されるものは、複数の鍵に対して１対ずつ設けられる発光部１２及び受光部１３、判定回路１４、第１ランプ７、第２ランプ８だけである。そのため、電源を単３電池等の電池により構成することができる。従って、電源消費量が低減される。また、鍵保管装置１の設置場所に電源を必要としない。従って、鍵保管装置１の設置場所の自由度が向上する。
【００６８】
また、本実施形態にかかる鍵保管装置１において、本体部３は、箱型に形成されている。そのため、本体部３の内部は、外光が遮光された空間となっている。そして、発光部１２及び受光部１３は、本体部３の主面１１の背面側、即ち、遮光された空間である本体部３の内部に備えられる。これにより、受光部１３に外光等が入射することがないため、受光部１３は、より感度良く発光部１２からの光を受光することができる。
【００６９】
なお、本実施形態では、第１ランプ７又は第２ランプ８の何れかが点灯することにより、鍵の返却／未返却を知らせることとしたが、音により鍵の返却／未返却を知らせることとしてもよい。
また、本実施形態では、表示部として第１ランプ７又は第２ランプ８を例示したが、鍵の返却の有無を知らせるものであれば何であってもよい。また、表示部としてランプ１つだけが備えられてもよい。その場合には、鍵の返却がある場合又は返却がない場合の何れかの場合に当該ランプが点灯するように構成すればよい。
また、本実施形態では、扉２が閉められてスイッチ６が押下されることにより電源がＯＮとなり、判定回路１４により鍵の返却／未返却が判定されることとしたが、他の方法により電源がＯＮとされてもよい。例えば、窓穴部１０からスイッチ６を露出させ、スイッチ６を手動で押下することにより電源がＯＮとなってもよい。
また、パーソナルキー５の全ての溝部５Ａにピン５Ｂが嵌合されていないキーをマスター解除キーとしてもよい。マスター解除キーは、保持部４の全ての貫通穴部４Ｄに挿入可能である。そのため、マスター解除キーにより全ての鍵を保持部４から取り出すことが可能となる。マスター解除キーは管理者などにより管理される。
【図面の簡単な説明】
【００７０】
【図１】本発明にかかる鍵保管装置の扉が開けられた状態の外観を示す斜視図である。
【図２】本発明にかかるパーソナルキーの背面を示す平面図（図２（ａ））、本発明にかかるパーソナルキーの側面を示す平面図（図２（ｂ））である。
【図３】本発明にかかる保持部の正面図（図３（ａ））、図３（ａ）のＢ−Ｂ'断面図（図３（ｂ））、背面図（図３（ｃ））である。
【図４】パーソナルキーの挿入に伴う保持部の動作を説明する保持部の側面断面図（図４（ａ）乃至（ｅ））である。
【図５】本発明にかかる判定回路を示す回路図である。
【図６】本発明にかかる鍵保管装置の動作を説明するタイミングチャートである。
【符号の説明】
【００７１】
１  鍵保管装置
２  扉
３  本体部
４  保持部
４Ｄ  貫通孔部（キー孔）
４Ｏ  フックレバー（掛止部、遮光部材）
４Ｍ  開閉レバー（回動部）
５  パーソナルキー（解除キー）
７  第１ランプ（表示部）
８  第２ランプ（表示部）
１０  窓穴部
１１  主面
１２  発光部
１３  受光部
１４  判定回路（判定部）
【図１】
0004733683.tif 000002
【図２】
0004733683.tif 000003
【図３】
0004733683.tif 000004
【図４】
0004733683.tif 000005
【図５】
0004733683.tif 000006
【図６】
0004733683.tif 000007